(57)【要約】【課題】チーズの製造歩留まりを向上することができる小型化されたチーズ熟成装置を提供する。【解決手段】チーズを熟成させるチーズ熟成庫１１を備えたチーズ熟成装置１０であって、外装壁２１と内装壁２２との間に密閉空間２０ｃが形成された二重壁構造で、内部２０ａと該内部２０ａを開口する開口部２０ｂとを有して構成されたケーシング２０と、開口部２０ｂで内部２０ａを開閉するドア４０と、ドア４０で内部２０ａを閉じて形成されるチーズ熟成庫１１内の温湿度を、温度調節されたエアを密閉空間２０ｃで循環させることで間接的に調節する温湿度調節部７０と、内部２０ａでケーブル８１を介して自在に配置され、チーズ熟成庫１１内の雑菌を除去する除菌部８０と、を備える。【選択図】図３
2015080463.tif 000002
【特許請求の範囲】
【請求項１】
チーズを熟成させるチーズ熟成庫を備えたチーズ熟成装置であって、
外装壁と内装壁との間に密閉空間が形成された二重壁構造で、内部と該内部を開口する開口部とを有して構成されたケーシングと、
前記開口部で前記内部を開閉するドアと、
前記ドアで前記内部を閉じて形成される前記チーズ熟成庫内の温湿度を、温度調節されたエアを前記密閉空間で循環させることで間接的に調節する温湿度調節部と、
前記内部でケーブルを介して自在に配置され、前記チーズ熟成庫内の雑菌を除去する除菌部と、
を備えることを特徴とするチーズ熟成装置。
【請求項２】
前記内部でケーブルを介して自在に配置され、前記チーズ熟成庫内でエア流を発生するファンを更に備えることを特徴とする請求項１記載のチーズ熟成装置。
【請求項３】
前記除菌部は、イオンを放出するイオン放出部であることを特徴とする請求項１または２記載のチーズ熟成装置。
【請求項４】
前記内部に配置され、チーズが配置されるチーズラックを更に備え、
前記イオン放出部は、前記内装壁に向けてイオンを放出するように、前記チーズラックに取り付けられることを特徴とする請求項３記載のチーズ熟成装置。
【請求項５】
前記内部の内上面が、前記開口部側から奥面側へかけて下り傾斜していることを特徴とする請求項１〜４のいずれか一項に記載のチーズ熟成装置。
【発明の詳細な説明】
【技術分野】
【０００１】
本発明は、チーズ熟成装置に適用して有効な技術に関する。
【背景技術】
【０００２】
特開２０１０−２６８７０６号公報（以下、特許文献１という。）には、チーズ熟成庫と、該チーズ熟成庫の内部に設けられた散水板と、温度制御された循環水をチーズ熟成庫に送る散水制御部と、該循環水を前記散水板に対して散水する散水パイプとを備えるチーズ熟成装置に関する技術が記載されている。また、特許文献１（特に、その明細書段落［００３０］参照）には、チーズ熟成庫内の微生物の増殖を抑制するために、循環水の除菌または殺菌を行うことが記載されている。
【０００３】
特公平７−４９９０５号公報（以下、特許文献２という。）には、生鮮食料品の乾燥を抑え、鮮度を落とさず長時間保存することができるように、生鮮食料品が収納される収納箱内を間接的に冷却する保存装置に関する技術が記載されている。
【先行技術文献】
【特許文献】
【０００４】
【特許文献１】特開２０１０−２６８７０６号公報
【特許文献２】特公平７−４９９０５号公報
【発明の概要】
【発明が解決しようとする課題】
【０００５】
ナチュラルチーズのような一般的なチーズの製造方法について説明する。
【０００６】
まず、原料乳に対して、低温殺菌して冷却した後、保温しながらスターター（乳酸菌）を添加撹拌し、さらにレンネット（酵素）を添加撹拌し、静置してカード（凝乳）を生成する。次いで、この生成されたカードに対して、カッティングして加温しながら撹拌し、カードから排出されたホエー（乳清）を排除する。次いで、ホエーが排除されたカードを取り出して成形した後、食塩水に浸漬（塩漬け）する。そして、所定温度（例えば８℃〜１５℃）および所定湿度（例えば、８５％ＲＨ〜９０％ＲＨ）で保たれたチーズ熟成庫内に、塩漬けされたカードを反転させながら載置して、所定時間熟成させることによって、チーズが略完成する。
【０００７】
このうち、チーズ熟成工程は、スターター（乳酸菌）やレンネット（酵素）の働きによって、カード（以下、チーズとして記す。）の表面からたんぱく質や脂肪などを分解して、チーズとしての風味を作り出して組織化する工程である。このため、チーズ熟成工程では、外部からの雑菌による感染が起こり易い。雑菌による感染が発生すると、所望の風味を得ることができず、チーズの製造歩留まりが低下してしまうため、チーズの製造工程において、特に、チーズ熟成工程は重要である。
【０００８】
このチーズ熟成工程において、特許文献１に記載のチーズ熟成装置を用いることができると考えられる。しかしながら、特許文献１に記載のチーズ熟成装置は、チーズ熟成庫内に循環水を送って、その循環水をチーズ熟成庫内の散水板に対して散水する構成であるため、チーズ熟成庫の容積が大きくなり、装置全体として大型化したものとなる。
【０００９】
また、前述したように、チーズ熟成工程中では、チーズを反転させるといった作業が必要となるため、作業者がチーズ熟成庫内を開閉する際に、チーズ熟成庫内に雑菌が侵入しやすくなってしまう。特許文献１に記載のチーズ熟成装置では、循環水の除菌または殺菌を行うためにフィルタや紫外線ランプを設けたとしても、チーズ熟成庫内の除菌を効率良くできるとも限らず、雑菌による感染が発生し、チーズの製造歩留まりが低下してしまうおそれがある。また、特許文献２に記載の保存装置は、生鮮食料品を保存するに適したものではあるが、チーズの製造歩留まりの向上において、特に、除菌が必要とされるチーズ熟成工程に適した構成とはなっていない。
【００１０】
本発明の目的は、チーズの製造歩留まりを向上することができる小型化されたチーズ熟成装置を提供することにある。本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
本発明の一実施形態におけるチーズ熟成装置は、チーズを熟成させるチーズ熟成庫を備えたチーズ熟成装置であって、外装壁と内装壁との間に密閉空間が形成された二重壁構造で、内部と該内部を開口する開口部とを有して構成されたケーシングと、前記開口部で前記内部を開閉するドアと、前記ドアで前記内部を閉じて形成される前記チーズ熟成庫内の温湿度を、温度調節されたエアを前記密閉空間で循環させることで間接的に調節する温湿度調節部と、前記内部でケーブルを介して自在に配置され、前記チーズ熟成庫内の雑菌を除去する除菌部と、を備えることを特徴とする。
【００１３】
これによれば、チーズ熟成庫内の温湿度調節に、チーズ熟成庫を包むように、その周りで循環させたエアを用いることで、チーズ熟成庫の小型化を図ることができる。また、例えばチーズ熟成庫内にチーズを配置する際にドアを開いて外部から雑菌が侵入してきたとしても、除菌部によってチーズ熟成庫内を除菌することができ、チーズへの雑菌感染を防止し、チーズの製造歩留まりを向上することができる。また、チーズ熟成庫内のチーズ配置によって、チーズ熟成庫内の所望の位置（例えば、チーズ周辺）に除菌部を配置することができるので、チーズ周辺での除菌をより効率的に行うこともできる。
【００１４】
前記一実施形態におけるチーズ熟成装置において、前記内部でケーブルを介して自在に配置され、前記チーズ熟成庫内でエア流を発生するファンを更に備えることがより好ましい。
【００１５】
このようなファンを用いることで、例えば、チーズ熟成庫内に配置されたばかりのチーズの表面に付着している食塩水を落ち着かせて（具体的には、塩もみされたチーズの表面を定着、安定させた状態）、表面にカビが発生するのを防止することができる。また、チーズの配置によって、チーズ熟成庫内の所望の位置（例えば、チーズ周辺）にファンを配置することができるので、より効率的に行うこともできる。このように、チーズ表面のカビの発生を防止し、チーズの製造歩留まりを向上することができる。
【００１６】
また、前記一実施形態におけるチーズ熟成装置において、前記除菌部は、イオンを放出するイオン放出部であることがより好ましい。
【００１７】
このようなイオン放出部を用いることで、イオンによる雑菌の不活性化（あるいは無力化ともいう。）で、除菌することができる。このように、チーズ熟成庫内の除菌を行うことで、雑菌感染を防止し、チーズの製造歩留まりを向上することができる。
【００１８】
また、前記一実施形態におけるチーズ熟成装置において、前記内部に配置され、チーズが配置されるチーズラックを更に備え、前記イオン放出部は、前記内装壁に向けてイオンを放出するように、前記チーズラックに取り付けられることがより好ましい。
【００１９】
このようなチーズラックにイオン放出部を取り付けることで、配置されているチーズに対して正負イオンを直接的に照射させずに、チーズ周囲の雑菌を容易に不活性化することができる。このように、チーズ熟成庫内の除菌を行うことで、チーズへの雑菌感染を防止し、チーズの製造歩留まりを向上することができる。
【００２０】
また、前記実施形態におけるチーズ熟成装置において、前記内部の内上面が、前記開口部側から奥面側にかけて下り傾斜していることがより好ましい。
【００２１】
このように内部において内上面が傾斜することで、内上面で結露が発生しても、その水滴が背面側へ流れるので、チーズラックに配置されたチーズに水滴が垂れるのを防止することができる。すなわち、結露によるチーズの製造歩留まりが低下するのを防止することができる。
【発明の効果】
【００２２】
本願において開示される発明のうち、代表的なものによって得られる効果を簡単に説明すれば次のとおりである。本発明の一実施形態によれば、チーズの製造歩留まりを向上することができる小型化されたチーズ熟成装置を提供することができる。
【図面の簡単な説明】
【００２３】
【図１】本発明の一実施形態におけるチーズ熟成装置の正面図である。
【図２】図１に示すチーズ熟成装置の要部を透視した正面図である。
【図３】図１に示すチーズ熟成装置の要部を透視した側面図である。
【発明を実施するための形態】
【００２４】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。
【００２５】
また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００２６】
まず、本発明の一実施形態におけるチーズ熟成庫を備えたチーズ熟成装置について、図１〜図３を参照して説明する。図１は、チーズ熟成装置１０の正面図である。また、図２は、チーズ熟成装置１０の要部（チーズ熟成庫１１の周囲）を透視した正面図である。また、図３は、チーズ熟成装置１０の要部（チーズ熟成庫１１の周囲）を透視した側面図である。チーズ熟成装置１０は、チーズ熟成庫１１内に配置されたチーズを熟成させるものである。
【００２７】
チーズ熟成装置１０は、内部２０ａと内部２０ａを開口する開口部２０ｂとを有して構成されたケーシング２０と、開口部２０ｂで内部２０ａを開閉するドア４０と、ケーシング２０を支持する脚部５０と、ケーシング２０の上部に設けられた操作パネル６０とを備えている。また、チーズ熟成装置１０は、ケーシング２０の内部２０ａに配置され、チーズが配置されるチーズラック１２を備えている。このチーズラック１２は、例えばステンレスを用いて構成され、チーズが配置されるラック網１２ａを複数段（例えば、最大１０段）取り付けることができる。
【００２８】
ドア４０は、作業者がケーシング２０の内部２０ａを開閉する際に用いる取手４１およびパチン錠４２を備えている。このドア４０は、内部２０ａ側の面が、例えば鋼板を用いて構成されている。この鋼板と、ケーシング２０の開口部２０ｂの縁部とが当接する箇所に、ドア４０は、マグネットパッキン（図示せず）を備えている。ドア４０を閉じた際には、マグネットパッキンがチーズ熟成庫１１内と外部を遮断している。
【００２９】
脚部５０は、例えば、平面視矩形状のケーシング２０の底部の四隅でケーシング２０を支持している。後述するように、チーズ熟成装置１０では小型化を図ることができるので、例えば、四隅の脚部５０のうち二箇所でキャスターを用いることで、チーズ熟成装置１０を容易に移動させることもできる。
【００３０】
操作パネル６０は、チーズ熟成庫１１内が所望の温湿度となるように操作可能な本体操作盤６１と、チーズ熟成庫１１内の温湿度を表示する表示計６２と、操作パネル６０の内部に設けられた制御部（図示せず）と、複数のスイッチとを備えている。複数のスイッチとしては、例えば、除菌用スイッチ６３、ヒータ用スイッチ６４、庫内ファン用スイッチ６５がある。
【００３１】
ケーシング２０は、内装壁２２（図２、図３では、厚みがないものとして示している。）と外装壁２１との間に密閉空間２０ｃが形成された二重壁構造で構成されている。図２、図３では、密閉空間２０ｃを明解にするために、ハッチングを付している。外装壁２１は、例えば、鋼板（カラー鋼板・ガルバリウム鋼板）を用いて構成され、内装壁２２側となる内面に断熱材（図示せず）が接着剤などにより貼り付けられたものである。この断熱材は、例えば、硬質ポリウレタンを用いて構成される。また、内装壁２２は、例えば、ステンレス鋼板を用いて構成される。すなわち、本実施形態では、硬質ポリウレタン（外装壁２１）と、ステンレス鋼板（内装壁２２）との間が所定の距離だけ離れており、そこで形成された空間を密閉空間２０ｃとしている。
【００３２】
ここで、ケーシング２０の内部２０ａを構成する内装壁２２の内上面２２ａは、開口部２０ａ（正面）側から奥面（背面）側にかけて下り傾斜している。このように内部２０ａにおいて内上面２２ａが傾斜することで、内上面２２ａで結露が発生しても、その水滴が背面側へ流れるので、チーズラック１２に配置されたチーズに水滴が垂れるのを防止することができる。すなわち、結露によるチーズの製造歩留まりが低下するのを防止することができる。また、開口部２０ａから内上面２２ａを傾斜させない場合に対して、内上面２２ａを正面側から背面側に傾斜させることで、開口部２０ａを広く確保しつつ、かつ伝熱面積を大きくとることができる。また、内上面２２ａの下方であって、チーズラック１２の上方にドレーンパン（図示せず）を設けることで、よりチーズラック１２に配置されたチーズに水滴が垂れるのを防止することができる。
【００３３】
また、チーズ熟成装置１０は、ドア４０で内部２０ａを閉じて形成されるチーズ熟成庫１１内の温湿度を、温度調節されたエア（例えば、冷却エア）を密閉空間２０ｃで循環させることで間接的に調節する温湿度調節部７０を備えている。チーズ熟成庫１１の周りで、密閉空間２０ｃが外装壁２１と内装壁２２との間に形成されるため、温湿度調節部７０は、内装壁２２を伝熱パネル（熱交換器）として備えているともいえる。このため、チーズ熟成庫１１内を無風状態で温湿度調節することができる。
【００３４】
また、温湿度調節部７０は、外装壁２１の外側であるケーシング２０の上部に設けられた冷凍機７１と、この冷凍機７１と循環接続され、密閉空間２０ｃ内に設けられた蒸発器７２とを備えている。冷凍機７１は、例えば、冷媒を用いた圧縮機、凝縮器、キャピラリチューブ（減圧手段）などで構成されたものである。また、温湿度調節部７０は、密閉空間２０ｃ内に設けられたエアを循環させるための循環ファン７３を備えている。更に、温湿度調節部７０は、チーズ熟成庫１１内の温度を検出する温度センサ（図示せず）を備えている。
【００３５】
このように構成される温湿度調節部７０は、操作パネル６０に内蔵された制御部において、チーズ熟成庫１１内で検出されたデータに基づき、チーズ熟成庫１１内が所望の温湿度となるように冷凍機７１などが制御される。このように、チーズ熟成庫１１内の温湿度調節に、チーズ熟成庫１１を包むように、その周りで循環させたエアを用いることで、チーズ熟成庫１１やチーズ熟成装置１０の小型化を図ることができる。
【００３６】
また、本実施形態における温湿度調節部７０は、更に、密閉空間２０ｃ内に設けられたヒータ（図示せず）を備えている。これによれば、使用周囲温度がチーズ熟成時の温度範囲（例えば、８℃〜１５℃）よりも低いときに、ヒータ用スイッチ６４をオン状態として密閉空間２０ｃを加温して、間接的にチーズ熟成庫１１を加温することができる。
【００３７】
また、チーズ熟成装置１０は、図２、図３に示すように、内部２０ａでケーブル８１を介して自在に配置され（すなわち、図２、図３に示す位置に限られない。）、チーズ熟成庫１１内の雑菌を除去する除菌部８０を備えている。この除菌部８０は、通電や制御に用いられるケーブル８１を介して制御部と電気的に接続されている。本実施形態では、チーズ熟成装置１０は、除菌部８０を一つ備える場合であって、図２、図３では、例えば、ラック網１２ａ上の位置Ａに配置したり、ラック１２の側面の位置Ｂに配置したりすることができることを示している。もちろん、一つの除菌部８０に限らず、複数個配置する構成とすることもできる。また、ケーブル８１を巻き取り可能な構成としておくことで、除菌部８０が配置される位置によって、ケーブル８１の長さを調節することができる。また、除菌せずにチーズを熟成させる場合には、除菌部８０を内装面２２に取り付けておくこともできる。
【００３８】
本実施形態では、この除菌部８０は、イオンを放出するイオン放出部（電子式イオン発生器）である。図２、図３では、説明を明解にするために、イオン放出部の放出側をハッチングで示している。イオン放出部では、放出された正負イオン（例えば、Ｈ＋とＯ２−）の反応により生成した活性酸素（例えば、ＯＨラジカル）のタンパク質変性作用により、イオンによる雑菌の不活性化（あるいは無力化ともいう。）で、除菌や消臭を行うことができる。なお、チーズ熟成庫１１内の除菌、殺菌であるため、薬剤を用いることはできない。
【００３９】
これにより、例えば、チーズ熟成庫１１内にチーズを配置する際にドア４０を開いて外部から雑菌が侵入してきたとしても、除菌部８０によってチーズ熟成庫１１内を除菌することができ、チーズの雑菌感染を防止し、チーズの製造歩留まりを向上することができる。また、除菌部８０がケーブル８１によって自在に配置可能に構成されているため、チーズ熟成庫１１内のチーズ配置によって、チーズ熟成庫１１内の所望の位置（例えば、チーズ周辺）に除菌部８０を配置することができる。このため、チーズ周辺での除菌をより効率的に行うこともできる。
【００４０】
また、イオン放出部（除菌部８０）は、内装壁２２に向けてイオンを放出するように、チーズラック１２に取り付けられることで、配置されているチーズに対して正負イオンを直接的に照射させずに、チーズ周囲の雑菌を容易に不活性化することができる。このように、チーズ熟成庫１１内の除菌を行うことで、チーズへの雑菌感染を防止し、チーズの製造歩留まりを向上することができる。
【００４１】
また、チーズ熟成装置１０は、図２に示すように、内部２０ａでケーブル９１を介して自在に配置され（すなわち、図２に示す位置に限られない。）、チーズ熟成庫１１内でエア流を発生する庫内ファン９０を備えている。この庫内ファン９０は、通電や制御に用いられるケーブル９１を介して制御部と電気的に接続されている。ケーブル９１を巻き取り可能な構成としておくことで、庫内ファン９０が配置される位置によって、ケーブル９１の長さを調節することができる。
【００４２】
例えば、チーズ熟成庫１１内に配置されたばかりのチーズに対して、庫内ファン９０を近づけてエアを当てることで、そのチーズ表面に付着している食塩水を落ち着かせて（具体的には、塩もみされたチーズの表面を定着、安定させた状態）、表面にカビが発生するのを防止することができる。また、チーズの配置によって、チーズ熟成庫内の所望の位置（例えば、チーズ周辺）に庫内ファン９０を配置することができるので、より効率的に行うこともできる。このように、チーズ表面のカビの発生を防止し、チーズの製造歩留まりを向上することができる。なお、庫内ファン９０でエアを当てる必要の無い場合には、使用されない庫内ファン９０を内装面２２に取り付けたままの状態としておくこともできる。
【００４３】
次に、本発明の一実施形態におけるチーズ熟成装置１０を用いたチーズ熟成工程について説明する。
【００４４】
チーズ熟成工程の前では、チーズ熟成庫１１（ケーシング２０の内部２０ａ）内およびチーズラック１２を洗浄して除菌する。これらはステンレス（ステンレス鋼板）から構成されるので、容易に洗浄することができる。その後、チーズ熟成庫１１内にチーズラック１２を配置してドア４０を閉じた状態で、本体操作盤６１によってチーズ熟成庫１１内の温湿度を設定し、表示計６２によってチーズ熟成庫１１内の温湿度を確認する。
【００４５】
次いで、ドア４０を開けた状態でラック網１２ａ上にチーズを配置する。このとき、食塩水から取り出されて塩漬けされたチーズに対して、その表面に付着している食塩水を落ち着かせるために、庫内ファン用スイッチ６４をオンにして、例えば、作業者が庫内ファン９０を持ってチーズの表面にエアを当てる。
【００４６】
次いで、ドア４０を開けたために外部から雑菌が侵入しているおそれがあるため、除菌部８０によってチーズ熟成庫１１内（特に、チーズ周囲）を除菌する。例えば、ドア４０を開けた状態で作業者が除菌部８０を持ってチーズの周囲を移動させながらチーズ熟成庫１１内を除菌することができる。また、除菌部８０をチーズラック１２に配置して、ドア４０を閉じた状態で除菌用スイッチ６３をオンにして除菌部８０によってチーズ熟成庫１１内を除菌することもできる。これにより、チーズ熟成工程中のチーズへの雑菌感染を防止することができる。
【００４７】
次いで、ドア４０を閉じた状態、すなわち、チーズ熟成庫１１内が設定された温湿度の状態で、チーズを所定時間熟成させる。次いで、所定時間後、ドア４０を開けて作業者によってチーズを反転させる。その後、前述したように、除菌部８０を用いてチーズ熟成庫１１内を除菌して、再びドア４０を閉じてチーズを所定時間熟成させる。このチーズ反転を所定回数繰り返し、その都度除菌部８０でチーズ熟成庫１１内を除菌しながら、チーズを熟成させる。
【００４８】
このように、本実施形態におけるチーズ熟成装置１０の除菌部８０を用いることで、チーズへの雑菌感染を防止してチーズを熟成させることができ、チーズの製造歩留まりを向上することができる。また、除菌部８０とともに、チーズを最初に配置する際や、反転させて配置させる際に、食塩水で浸漬されたチーズに対してエアを当てる庫内ファン９０を併用することで、よりチーズの製造歩留まりを向上することができる。
【００４９】
以上、本発明を実施形態に基づき具体的に説明したが、本発明は前記実施形態に限定されるものではなく、その要旨を逸脱しない範囲で種々変更可能であることはいうまでもない。
【００５０】
他の実施形態として、除菌部として例えば紫外線ランプを用いることも考えられる。しかしながら、紫外線がチーズに直接照射された場合、チーズの熟成の妨げとなるおそれが考えられる。そこで、前記実施形態で説明したように、除菌部としてイオン放出部を用いることで、直接チーズを除菌するのではなく、チーズ周囲での除菌を行うことができる。また、内装壁に向けてイオンを放出するようにイオン放出部を取り付けることで、雑菌が侵入してくるチーズ周囲（特に、ケーシングの開口部）で除菌を行うことができる。
【００５１】
また、前記実施形態では、ケーシングの内部でケーブルを介してファンを設けた場合について説明した。これに限らず、ファンを設けない構成であってもよい。この場合、食塩水に浸漬させたチーズの表面を落ち着かせる作業を、例えば、チーズ熟成庫の外部でエア流をチーズ表面に照射して行うことが考えられる。
【符号の説明】
【００５２】
１０  チーズ熟成装置
１１  チーズ熟成庫
１２  チーズラック
１２ａ  ラック網
２０  ケーシング
２０ａ  内部
２０ｂ  開口部
２０ｃ  密閉空間
２１  外装壁
２２  内装壁
２２ａ  内上面
４０  ドア
４１  取手
４２  パチン錠
５０  脚部
６０  操作パネル
６１  本体操作盤
６２  表示計
６３  除菌用スイッチ
６４  ヒータ用スイッチ
６５  庫内ファン用スイッチ
７０  温湿度調節部
７１  冷凍機
７２  蒸発器
７３  循環ファン
８０  除菌部（イオン放出部）
８１  ケーブル
９０  庫内ファン
９１  ケーブル
【図１】
2015080463.tif 000003
【図２】
2015080463.tif 000004
【図３】
2015080463.tif 000005